(57)【要約】【課題】  従来の携帯電話機において、操作部を有する第１の本体と、表示部を有する第２の本体と開閉自在にするものが知られている。また、本体に対し蓋体を開閉自在にする二軸式のものも知られている。二軸式のヒンジ部を用いて、一軸式のものにはないデザインの携帯電話機を提供することができるとともに、スペースを有効に利用して小型化あるいは簡易で安価な、使い勝手の良い携帯電話機を提供するものである。【解決手段】 携帯電話機は、操作部を有する第１の本体と、表示部を有する第２の本体と、両本体を折りたたみ自在に結合する二軸を有するヒンジ部とを備え、このヒンジ部の、前記両本体が開状態にある場合に生じる前記表示部の表示面と同じ側の面に前記操作部の一部である操作キーを設けたことを特徴とする。【選択図】 図１
2010088125.tif 000002
【特許請求の範囲】
【請求項１】
第１の本体と、表示部を有する第２の本体と開閉自在に結合し、
表示部を有する前記第２の本体の長さを前記第１の本体の長さより大きく設定し、
両本体が閉じた状態にある場合に、前記表示部の一部を露出させたことを特徴とする携帯電話機。
【請求項２】
第１の本体と表示部を有する第２の本体とを開閉自在に結合し、両本体が閉じた状態にある場合に、前記表示部の一部を露出させたことを特徴とする携帯電話機。
【請求項３】
操作部を有する第１の本体と、表示部を有する第２の本体と、両本体を折りたたみ自在に結合する二軸を有するヒンジ部とを備え、両本体が閉じた状態にある場合に、前記表示部の一部を露出させたことを特徴とする携帯電話機。
【請求項４】
閉じた状態にある場合に、露出した前記表示部に時間を表示することを特徴とする請求項１乃至請求項３記載の携帯電話機。
【請求項５】
閉じた状態にある場合に、露出した前記表示部に電池の充電状態を表示することを特徴とする請求項１乃至請求項３記載の携帯電話機。
【発明の詳細な説明】
【技術分野】
【０００１】
本発明は、開閉可能な携帯電話機に関するものである。
【背景技術】
【０００２】
従来の携帯電話機において、操作部を有する第１の本体と、表示部を有する第２の本体とを折りたたみ自在にする一軸式のものが、例えば特開２００２−２９０５２５号公報に示されている。
【０００３】
また、本体に対し蓋体を開閉自在にする二軸式のものが、例えば特開平９−２７５４３５号公報に示されている。
【先行技術文献】
【特許文献】
【０００４】
【特許文献１】特開２００２−２９０５２５号公報
【特許文献２】特開平９−２７５４３５号公報
【発明の概要】
【発明が解決しようとする課題】
【０００５】
本発明は、閉じた状態で使い勝手の良い携帯電話機を提供することを目的とする。
【課題を解決するための手段】
【０００６】
本発明の携帯電話機は、本発明の携帯電話機は、操作部を有する第１の本体と、表示部を有する第２の本体と、両本体を折りたたみ自在に結合する二軸を有するヒンジ部とを備え、このヒンジ部の、前記両本体が開状態にある場合に生じる前記表示部の表示面と同じ側の面に前記操作部の一部である操作キーを設けたことを特徴とする。
【０００７】
また、両本体のそれぞれの端部に相対向して突出部を形成するとともに、ヒンジ部を箱状に形成し、前記突出部の間に前記箱状のヒンジ部を配置し、前記突出部において前記ヒンジ部を回動自在に軸支することを特徴とする。
【０００８】
また、前記操作キーをファンクションキーとしたことを特徴とする。
【０００９】
さらに、第１の本体の長さを第２の本体の長さより小さく設定し、両本体が折りたたみ状態にある場合に、第２の本体の表示部の一部を露出させることを特徴とする。
【発明の効果】
【００１０】
本発明の携帯電話機によれば、閉じた状態で表示部の一部を露出することが出来る。
【図面の簡単な説明】
【００１１】
【図１】本発明の一実施例における携帯電話機の一部分解斜視図である。
【図２】同携帯電話機の折りたたみ状態を示す斜視図である。
【図３】同携帯電話機の一部分の断平面図である。
【図４】同他の実施例における携帯電話機の折りたたみ状態を示す斜視図である。
【発明を実施するための形態】
【００１２】
以下、本発明の実施の形態を図面を参照して説明する。
【００１３】
図１に示すように、テンキー等の操作部１を有する第１の本体２と液晶表示体よりなるメイン表示部３を有する第２の本体４とが備えられている。
【００１４】
これらの本体２，４の端部にそれぞれ一対の突出部５ａ，５ｂ，６ａ、６ｂが本体２，４と一体成形されている。
【００１５】
これらの突出部５ａ，５ｂ，６ａ、６ｂ間にヒンジ部７が設けられ、本体２，４が開閉自在に結合される。
【００１６】
図２は本体２に対し本体４を閉じた状態を示している。８はサブ表示部である。ヒンジ部７にはファンクションキー９が設けられている。
【００１７】
ヒンジ部７周辺の具体構造を図３とともに説明する。
【００１８】
ヒンジ部７は箱状に構成されており、内部にファンクションキー９の構造体及び回路部が設けられ、ファンクションキー９の上面はヒンジ部７の表面に露出している。ファンクションキー９が設けられる面は、両本体２，４が開状態にある場合に生じる表示部３の表示面と同じ側の面である。
【００１９】
ファンクションキー９の詳細は記述しないが、本体２に設けられる従来のファンクションキーと同じように構成すればよい。
【００２０】
突出部５ａ，６ａには軸１０、１１が設けられ、これらの軸１０，１１がヒンジ部７の凹部１２，１３に回動自在に嵌り込んでいる。なお、突出部５ａ，６ａに凹部を設け、ヒンジ部７にこれらに嵌り込む軸を設けても良い。
【００２１】
突出部５ｂ，６ｂには透孔１４、１５が設けられ、これらに対向してヒンジ部７に凹部１６，１７が設けられている。透孔１５，１６を通ってピン１８、１９が挿入され、凹部１６、１７に形成された突片２０、２１がピン１８，１９の先端部に係合する。透孔１４，１５の開口部はカバー２２，２３によって塞がれる。このようにして、本体２、本体４はヒンジ部７を介して開閉自在となる。
【００２２】
本体２と本体４とファンクションキー９との電気的な接続は本体２からヒンジ部７を通って本体４へ伸びるフレキシブルなケーブル２４によって行われる。
【００２３】
また、突出部５ａ，６ａ側も５ｂ，６ｂ側と同様ピンによる回動自在な構成にしても良い。
【００２４】
ファンクションキー９をヒンジ部７に設けることにより新しいデザインの携帯電話機を提供することができるとともに、本体２のスペースが空くのでより小型の携帯電話機を提供することができ、使い勝手もよくなるものである。
【００２５】
ヒンジ部７に設けるのはファンクションキー９でなくても良く、操作部１の他のキーであっても良い。つまり、従来の携帯電話の本体に設けられている操作キーをヒンジ部７に設けることにより、本体の操作キーを少なくすることができ、その分全体として小型化を実現できるものである。
【００２６】
図４に示すものは本発明の他の実施例であり、第１の本体２の長さをファンクションキー９をヒンジ部７に設けた分だけ小さくし、第２の本体４の長さは従来のままとすること、即ち、本体２の長さより大きくすることにより、表示部３の一部分２５を折りたたみ状態で露出させることができる。この露出部分２５に時間を表示したり、電池の充電状態を表示するようにすれば、サブ表示部８を設ける必要が無くなる。
【００２７】
この実施例では携帯電話機の小型化を実現することはできないが、新規なデザインの携帯電話機を提供できるとともに、メイン表示部をサブ表示部に兼用できる簡易で安価な携帯電話機を提供することができるものである。
【００２８】
本発明の実施例によれば、二軸を用いたヒンジ部で両本体を開閉自在に軸支するよう構成したので、ヒンジ部にかなりのスペースを設けることができ、ここにファンクションキーなどの操作キーを設けたので、新しいデザインの携帯電話機を提供することができるとともに、携帯電話機を小型に構成することができる。
【００２９】
また、操作部を有する本体の長さを表示部を有する本体の長さよりも小さくすることにより、表示部の一部を両本体が折りたたみ状態にある場合でも露出させることができ、この露出部分に時間表示や、電池の充電状態を示す表示などを表示させることができる。
【００３０】
この結果、表示部を有する本体の裏面にサブ表示部を設ける必要がないので、簡易で安価かつ、使い勝手の良い携帯電話機を提供することができる。
【符号の説明】
【００３１】
１：操作部
２：第１の本体
３：メイン表示部
４：第２の本体
５ａ，５ｂ、６ａ、６ｂ：突出部
７：ヒンジ部
８：サブ表示部
９：ファンクションキー
１０，１１：軸
１２，１３：凹部
１４，１５：透孔
１６，１７：凹部
１８、１９：ピン
２０、２１：突片
２２、２３：カバー
２４：フレキシブルなケーブル
２５：表示部
【図１】
2010088125.tif 000003
【図２】
2010088125.tif 000004
【図３】
2010088125.tif 000005
【図４】
2010088125.tif 000006